(57)【要約】【目的】ボールスタッドの揺動によって膜部が破損することのないボールジョイントのダストカバーを提供する。【構成】ボールジョイントのボールスタッドの軸部に装着される第一開口部と、ハウジングに装着される第二開口部と、第一開口部と第二開口部との間に形成される膜部とよりなるボールジョイントのダストカバーにおいて、膜部はボールスタッド揺動時にダストカバーの第二開口部の外周面と接触する位置に、外側に突出する凸部が形成されている。【選択図】      図２
2004176872.tif 000002
【特許請求の範囲】
【請求項１】
ボールジョイント（１１）のボールスタッド（１２）の軸部（１３）に装着される第一開口部（４）と、ハウジング（１７）に装着される第二開口部（５）と、前記第一開口部（４）と前記第二開口部（５）との間に形成される膜部（２）とよりなるボールジョイントのダストカバー（１）において、前記膜部は（２）前記ボールスタッド（１２）揺動時に前記ダストカバー（１）の第二開口部（５）の外周面と接触する位置に、外側に突出する凸部（３）が形成されていることを特徴とするボールジョイントのダストカバー。
【請求項２】
前記凸部（３）は周状に形成されていることを特徴とする請求項１記載のボールジョイントのダストカバー。
【発明の詳細な説明】
【０００１】
【産業上の利用分野】
本発明は、例えば自動車の懸架装置及び操舵装置等に使用されるボールジョイントのダストカバーに関する。
【０００２】
【従来の技術】
従来から使用されているダストカバーが装着されたボールジョイントには、図４に示される如きものがある。この図に示されるボールジョイント１１１は、球状の球頭部１１４と球頭部１１４から延出する軸部１１３とからなるボールスタッド１１２と、ボールスタッド１１２の球頭部１１４を揺動回動自在に包持するベアリング１１５と、ベアリング１１５を内包し一方にボールスタッド１１２の柄部１１３を突出させるハウジング開口部１２０が形成されているハウジング１１７とを有している。このハウジング１１７は、一方に開口する外カップ開口部１１９ａが形成される外カップ１１９と、外カップ１１９の内側に配置される内カップ１１８と、外カップ開口部１１９ａ端部にかしめ固定される抜け止めリング１２２とよりなる。
【０００３】
上記ボールジョイント１１１に装着されるダストカバー１０１は、弾性部材製で略釣鐘形状に形成され、第一開口部１０４がボールスタッド１１２の軸部１１３に、第一開口部１０４より内径が大径で補強環１０７が埋設された第二開口部１０５がハウジング１１７の抜け止めリング１２２の外周に夫々装着され、第一開口部１０４と第二開口部１０５との間には可撓性の膜部１０２が形成されているものがあった。
【０００４】
【発明が解決しようとする課題】
このようなダストカバー１０１が装着されたボールジョイント１１１においては、ボールスタッド１１２が揺動するとボールスタッド１１２の揺動に追従してダストカバー１０１はボールスタッド１１２の揺動方向に撓む。このとき、ボールスタッド１１２が大きく揺動すると、それに伴いダストカバー１０１も大きく撓み、そのため、図５及び図６に示す如く、撓んだダストカバー１０１の膜部１０２の一部がダストカバー１０１の大開口部１０５の外周面と接触することがあった。すると、ダストカバー１０１において大開口部１０５に接触した膜部１０２は摩耗し、継続的に使用すると接膜部１０２の接触した部分に亀裂が入り、やがては破損してシール性が損なわれてしまうことがあった。
【０００５】
従って本発明は上述の如き課題を解決し、ボールスタッドの揺動によって膜部が破損することのないボールジョイントのダストカバーを提供することを目的とする。
【０００６】
【課題を解決するための手段】
本発明は以下の如き構成である。
【０００７】
ボールジョイントのボールスタッドの軸部に装着される第一開口部と、ハウジングに装着される第二開口部と、第一開口部と第二開口部との間に形成される膜部とよりなるボールジョイントのダストカバーにおいて、膜部はボールスタッド揺動時にダストカバーの第二開口部の外周面と接触する位置に、外側に突出する凸部が形成されている。
【０００８】
凸部は周状に形成されている。
【０００９】
【実施例】
以下、本発明の実施例を図１乃至図３に基づいて説明する。
【００１０】
図１は本発明の実施例によるダストカバー１を装着したボールジョイント１１を表す。このボールジョイント１１は、球状の球頭部１４と、球頭部１４から延出する軸部１３とからなるボールスタッド１２と、ボールスタッド１２の球頭部１４を揺動回動自在に包持し、一端端部が開口するベアリング開口部１６を有するベアリング１５と、ベアリング１５を内包し、一端にベアリング開口部１６側端部が開口するハウジング開口部２０を有するハウジング１７とを備える。
【００１１】
上記ハウジング１７は、一方に開口する外カップ開口部１９ａが形成される外カップ１９と、外カップ１９内周側に配置される内カップ１８と、外カップ１９の外カップ開口部１９ａ端部内側にかしめ固定される環状の抜け止めリング２２とより構成される。抜け止めリング２２は外周に鍔部２３が形成され、鍔部２３に連続して軸線方向に延びる立壁部２４が形成される。
【００１２】
上記の如きボールジョイント１１に装着されるダストカバー１は、弾性部材製で略釣鐘形状に形成されている。このダストカバー１は、断面略Ｌ字状のＬ字環６が内部に埋設された第一開口部４がボールスタッド１２の柄部１３外周に固定され、補強環７が内部に埋設される第二開口部５がハウジング１７の抜け止めリング２２の立壁部２４に固定されており、ダストカバー１の第一開口部４と第二開口部５との間には、外径側に膨出した可撓性の膜部２が形成されている。この膜部２において、ボールスタッド１２が大きく揺動してダストカバー１１が大きく撓んだときにダストカバー１の第二開口部５に接触する位置を予め想定して算出する。そして、算出された位置に、外側に向けて突出する凸部３を周状に形成し、凸部３が形成された部分は他の部分と比べて肉厚となる。
【００１３】
上記の如きボールジョイント１１においては、ボールスタッド１２が揺動するとダストカバー１はボールスタッド１２に追従してボールスタッド１２の揺動方向に撓む。このとき、ボールスタッド１２の軸部１３が大きく揺動するとダストカバー１も大きく撓み、図２に示される如く膜部２が第二開口部５側に接触するが、凸部３が膜部２の第二開口部５と接触する位置に形成されているので、図３に示される如く凸部３が第二開口部５外周面に接触する。
【００１４】
よって上述の如きボールジョイントのダストカバー１は、第一開口部４と第二開口部５との間の膜部２に外側に突出する凸部３が周状に形成されており、ボールジョイント１１が大きく揺動してダストカバー１が撓んだとき、膜部２に形成された凸部３が第二開口部５に接触する。
【００１５】
【発明の効果】
以上のように本発明のボールジョイントのダストカバーによれば、ボールジョイントのボールスタッドの軸部に装着される第一開口部と、ハウジングに装着される第二開口部と、第一開口部と第二開口部との間に形成される膜部とよりなるボールジョイントのダストカバーにおいて、ダストカバーの膜部はボールジョイント揺動時に第二開口部の外周面と接触する位置に外側に突出する凸部が形成されているため、ボールスタッドの軸部が大きく揺動してダストカバーが大きく撓んだときに、膜部に形成された凸部が第二開口部外周面と接触して、継続的使用に際し肉厚に形成された凸部が摩耗していくので、亀裂によってダストカバーが破損し、シール性が損なわれるということがなく、ダストカバーの品質を長期に亘って維持できる。また、凸部が周状に形成されていると、凸部が確実に第二開口部外周面と接触するので、より亀裂による破損が防がれ、ダストカバーの品質を長期に亘って維持できる。
【図面の簡単な説明】
【図１】本発明の実施例によるダストカバーを装着したボールジョイントを表す部分断面正面図である。
【図２】本発明の実施例によるダストカバーを装着したボールジョイントの大揺動時の状態を表す部分断面正面図である。
【図３】図２の要部拡大図である。
【図４】従来のダストカバーを装着したボールジョイントを表す部分断面正面図である。
【図５】従来のダストカバーを装着したボールジョイントの大揺動時の状態を表す部分断面正面図である。
【図６】図５の要部拡大図である。
【符号の説明】
１  ダストカバー
２  膜部
３  凸部
４  第一開口部
５  第二開口部
１１  ボールジョイント
１２  ボールスタッド
１３  軸部
１７  ハウジング
【図１】
2004176872.tif 000003
【図２】
2004176872.tif 000004
【図３】
2004176872.tif 000005
【図４】
2004176872.tif 000006
【図５】
2004176872.tif 000007
【図６】
2004176872.tif 000008